(57)【要約】      （修正有）【課題】患者に負担が少なく、発声用途に適した医療用送気装置を提供する。【解決手段】医療用送気装置１は、患者自身が容易に送気のオン、オフ操作が行えるスイッチ部１４と、流量調整機能１３、最大吐出量が１Ｌ/ｍｉｎ以上のポンプ部１１、送気装置から１ｍ離れた距離での騒音値が７０デシベル以下となるハウジング部１５からなることを特徴とする。【選択図】図１
0003210153.tif 000002
【実用新案登録請求の範囲】
【請求項１】
主に気管切開の手術を受けた患者の発声に用いる医療用送気装置において
医療用送気装置は、
気体の吐出が可能なポンプ部
スピーチバルブ等の気管チューブに接続可能な接続部
ポンプ部と接続部をつなぐ管路
気体の吐出流量が調整可能な流量調整機能
吐出のオン、オフ操作が可能なスイッチ部
ポンプ部を覆うハウジング部
を有し、
ポンプ部の最大吐出量が1L/ｍｉｎ以上かつ
送気装置から1ｍ離れた距離での騒音値が７０デシベル以下であることを特徴とする
医療用送気装置。
【請求項２】
ハンドキャリーや吊り下げることが可能な取っ手部を有していることを特徴とする
請求項1の医療用送気装置。
【考案の詳細な説明】
【技術分野】
【０００１】
この発明は、主に気管切開の手術を受けた患者の発声に用いる医療用送気装置に関する。
【背景技術】
【０００２】
従来の医療用送気装置として、内視鏡に空気を送気する「内視鏡用送気装置」や、病院の壁に埋め込まれた「壁面送気装置」などがある。
【０００３】
「内視用送気装置」は、内視鏡の管路を経由して、体内や、内視鏡に取り付けられたバルーンに空気を送気する装置である。
【０００４】
「壁面送気装置」は、病院のベットサイドの壁面に設けられており、患者に空気や酸素を送気する装置である。
である。
【０００５】
その他の類似技術として、医療用の吸引ポンプがある。
【先行技術文献】
【特許文献】
【０００６】
【特許文献１】特開２００７−０７５３９６号公報
【０００７】
【特許文献２】特表２００４−５０７３２４号公報
【考案の概要】
【考案が解決しようとする課題】
【０００８】
しかしながら、これらの送気装置では、気管切開の手術を受けた患者の発声用途で使うには課題があった。
【０００９】
まず、気管切開とは、脳卒中等で自発呼吸が難しい患者に対して、換気を行う為に、気管とその上部の皮膚を切開し、その部分から気管チューブを挿入する気道確保の方法である。
【００１０】
気管切開を行うと、気管チューブを介して呼吸が行われる為、気管チューブを挿入する開口の上方に位置する声帯に気流が流れなくなる。
その為、発声が不可となる。
【００１１】
このような場合、「スピーチカニューレ」と呼ばれるカニューレを用いることで、声帯側にも空気を送ることができる。
【００１２】
しかしながら、壁面送気装置の場合、静音を考慮した設計とはなっておらず、患者がやっとの想いで発声した声がかき消されてしまうという問題がある。
【００１３】
また、送気の風量調整を壁面で行う仕様となっており、患者自身が風量を操作することが難しい。
【００１４】
さらに送気のオン、オフ操作も、ベッドに横たわっている状態の患者が行うことが難しい。
【００１５】
その為、一度送気をオンにすれば連続して送気が続くことになり、不要時にも送気され、患者への負担が大きい。
【００１６】
内視鏡用送気装置においては、内視鏡に接続することを意図しており、本目的では使えない。
【００１７】
医療用の吸引ポンプは、体液等を吸引することを目的としており、本目的では使えない。
【００１８】
そこで、本発明では、患者に負担が少なく、発声用途に適した医療用送気装置を課題とする。
【課題を解決するための手段】
【００１９】
以上の課題を解決するために、患者自身が容易に送気のオン、オフ操作が行えるスイッチ機構と、流量調整機能、
最大吐出量が1L/ｍｉｎ以上のポンプ部、送気装置から1ｍ離れた距離での騒音値が７０デシベル以下となるハウジング部
からなる医療用送気装置であることを特徴とする。
【考案の効果】
【００２０】
本発明によれば、気管切開の手術を受けた患者に対しても負担が少なく、発声を行うことが可能となる。
【図面の簡単な説明】
【００２１】
【図１】この発明の第一の実施形態を示すシステムの透過図である。
【図２】この発明の使用患者の説明図である。
【考案を実施するための形態】
【００２２】
この発明の第一の実施形態を図１に示す。
【００２３】
医療用送気装置１は、気体の吐出が可能なポンプ部１１、スピーチバルブ等の気管チューブ２に接続可能な接続部１２
ポンプ部１１と接続部１２をつなぐ管路１９、気体の吐出流量が調整可能な流量調整機能１３
吐出のオン、オフ操作が可能なスイッチ部１４、ポンプ部を覆うハウジング部１５を有している。
【００２４】
ポンプ部１１は、電磁式ポンプ、ローラーポンプ、モーター式ポンプ等、空気の送気ができるものであれば、いずれでも良く、持ち運びが容易なコンパクトなサイズが適している。
流量は、低すぎると発声が出来ないため、最大吐出量が1L/ｍｉｎ以上が必要である。
【００２５】
接続部１２は、気管チューブ２のポンプ接続部２１と接続が可能であり、ポンプ１１からの空気が送気可能となっている。
管路１９は、座屈しにくいシリコンチューブ等が適しているが、他の材質でも構わない。
管路１９のいずれかの部分に、塵等の侵入を防ぐ為のフィルターを設置しても良い。
【００２６】
流量調整機能１３は、送風量の調節が可能であればよく、段階的な流量調整でも、連続的な流量調整でも良い。
また、流量の再現性があるように、目安となる目盛りが付いていることが望ましい。
流量が高すぎると患者が違和感を感じるため、低い流量からスタートし、患者に合わせて徐々に流量を上げることが望ましい。
【００２７】
スイッチ部１４は患者自身が送気のオン、オフ操作ができることが望ましく、医療用送気装置１から離れた状態で操作できることが望ましい。
【００２８】
スイッチ部１４は、電気的なスイッチ機構、機械的なスイッチ機構のいずれでもよく、例えば、管路１９に空気の解放穴を設け、それを指で開閉するような手動式の機構でも良い。
また、ワイヤレスリモコンによる電気的なスイッチ機構も適している。
【００２９】
ハウジング１５は、ポンプ１１を収納するが、騒音値を下げるべく、消音材や密閉機構が装備されていることが望ましい。
ポンプ１１の騒音は７０デシベル以上では、患者の声がかき消されるため、７０デシベル以下が望ましい。
尚、騒音値の測定は、ポンプ１１から1ｍ離れた距離での測定値である。
【００３０】
また、ハウジング１５には、マイクとスピーカー、電子回路等を有したノイズキャンセリング機構を施しても構わない。
さらに電源コード１７やスイッチ１４を収納するコードリール１６を設置しても良い。
【００３１】
ハウジング１５には、ハンドキャリーや吊り下げが可能な取っ手部１８があることが望ましい。
移動しやすいことはもちろん、医療用送気装置１全体を吊り下げることで、不要な振動が床に伝わらず、騒音値が下がることが期待できる。
床置きと吊り下げの比較では、吊り下げの方が１０デシベル程度の消音効果が期待できる。
【００３２】
この発明の使用患者の説明図を図２に示す。
【００３３】
患者は、気管切開部分に気管チューブ２が挿入されている。
声を出す為の声帯２２は、気管切開部の上方に位置している。
【００３４】
医療用送気装置１の接続部１２を、気管チューブのポンプ接続部２１に接続し、送気することで、空気が声帯２２側に流れる。
適度な量と圧の空気が流れることで、患者は発声が可能となる。
【００３５】
「実施形態の効果」
この実施形態によれば、気管切開の手術を受けた患者に対しても負担が少なく、発声を実現できる効果がある。
【符号の説明】
【００３６】
１・・・医療用送気装置
２・・・気管チューブ
１１・・・ポンプ部
１２・・・接続部
１３・・・流量調節機能
１４・・・スイッチ部
１５・・・ハウジング部
１６・・・コードリール部
１７・・・電源部
１８・・・取っ手部
１９・・・管路
２１・・・気管チューブポンプ接続部
２２・・・声帯
１１１・・・ポンプ吐出部
１１２・・・ポンプ吸引部
１１３・・・防塵フィルタ
【図１】
0003210153.tif 000003
【図２】
0003210153.tif 000004